(57)【要約】【課題】携帯電話網を使用した場合であってもインターネット接続サービスに必要とする個別認証情報を通信端末に自動的に設定する通信ネットワークシステムを提供する。【解決手段】携帯電話網４０に接続した通信端末１０の端末識別を行う識別サーバ２０に、各通信端末１０の個別認証情報を保存する保存サーバ３０を接続した構成であって、特定の固有値を有する通信端末１０は、記憶部１３に保存した接続設定用初回認証情報を含む接続要求を識別サーバ２０に送信する手段と、ＳＩＭカードスロット１４に挿入したＳＩＭカード５０に保存したユーザ識別情報５０１と前記固有値とを含む個別認証情報取得要求を識別サーバ２０に送信する手段と、識別サーバ２０、携帯電話網４０を介して保存サーバ３０から受け取った自通信端末の前記個別認証情報を記憶部１３に保存して、インターネット接続サービス用の個別認証を自動的に設定する手段と、を有している。【選択図】        図１
2019180006.tif 000002
【特許請求の範囲】
【請求項１】
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有し、
前記通信端末は、
自通信端末をユニークに特定する固有値があらかじめ付与されているとともに、
前記識別サーバに初めて接続する際に必要とする接続設定用初回認証情報をあらかじめ保存し、かつ、自通信端末に関する前記個別認証情報を取得した際に該個別認証情報を保存するための記憶部と、
自通信端末を使用するユーザに関するユーザ識別情報を保存しているＳＩＭカードを挿入するＳＩＭカードスロットと、
前記識別サーバに初めて接続する際に前記接続設定用初回認証情報を含む接続要求を前記携帯電話網を介して前記識別サーバに送信する初回接続手段と、
前記固有値と前記ユーザ識別情報とを含む個別認証情報取得要求を前記携帯電話網を介して前記識別サーバに送信する取得要求手段と、
前記識別サーバおよび前記携帯電話網を介して前記保存サーバから自通信端末の前記個別認証情報を受け取った際に、該個別認証情報を前記記憶部に保存し、インターネット接続サービス用の個別認証を自動的に設定する自動設定手段と
を有することを特徴とする通信ネットワークシステム。
【請求項２】
前記識別サーバは、
各前記通信端末の前記固有値を含む端末情報をあらかじめ登録する識別サーバ用記憶部と、
前記通信端末から前記接続設定用初回認証情報を含む前記接続要求を前記携帯電話網を介して受け取った際に、前記携帯電話網を介して要求元の前記通信端末と接続する接続手段と、
前記通信端末から前記個別認証情報取得要求を前記携帯電話網を介して受け取った際に、該個別認証情報取得要求に含まれている前記固有値が前記識別サーバ用記憶部内の前記端末情報に登録されているか否かを確認する端末識別手段と、
前記端末識別手段において前記通信端末から受け取った前記個別認証情報取得要求に含まれている前記固有値が前記識別サーバ用記憶部内の前記端末情報に登録されていることを確認した場合、前記通信端末から受け取った前記ユーザ識別情報を含む前記個別認証情報取得要求を、前記保存サーバに転送する取得要求転送手段と、
転送した前記個別認証情報取得要求に応じて前記保存サーバから前記個別認証情報を受け取った際に、受け取った前記個別認証情報を前記個別認証情報取得要求の送信元の前記通信端末に前記携帯電話網を介して転送する個別認証情報転送手段と
を有することを特徴とする請求項１に記載の通信ネットワークシステム。
【請求項３】
前記識別サーバは、
前記保存サーバが複数台接続され、前記識別サーバ用記憶部に登録する前記端末情報として、各前記通信端末の前記個別認証情報を登録している前記保存サーバを特定する保存サーバ特定情報を前記固有値に紐付けた状態であらかじめ登録し、
前記取得要求転送手段は、前記端末識別手段において前記個別認証情報取得要求に含まれている前記固有値が登録されていることを確認した前記識別サーバ用記憶部の前記端末情報に、該固有値に紐付けた状態で登録されている前記保存サーバ特定情報を読み出し、複数台の前記保存サーバのうち該保存サーバ特定情報により特定された保存サーバに、前記通信端末から受け取った前記ユーザ識別情報を少なくとも含む前記個別認証情報取得要求を転送する
ことを特徴とする請求項２に記載の通信ネットワークシステム。
【請求項４】
複数台の前記保存サーバが前記通信端末の出荷先の仮想移動体通信事業者ごとにグループ分けされていて、前記保存サーバ特定情報は、該出荷先の仮想移動体通信事業者を示す出荷先情報である
ことを特徴とする請求項３に記載の通信ネットワークシステム。
【請求項５】
前記保存サーバは、
各前記通信端末の前記ユーザ識別情報とインターネット接続サービスに必要とする情報とを紐付けた状態の前記個別認証情報をあらかじめ登録する保存サーバ用記憶部と、
前記識別サーバから転送されてきた前記通信端末の前記個別認証情報取得要求を受け取った際に、該個別認証情報取得要求に含まれている前記ユーザ識別情報が、前記保存サーバ用記憶部内の前記個別認証情報に登録されているか否かを確認し、登録されていた場合には、該ユーザ識別情報に該当する前記個別認証情報を前記保存サーバ用記憶部から読み出して、前記識別サーバに送信する個別認証情報検索手段と
を有することを特徴とする請求項２ないし４のいずれかに記載の通信ネットワークシステム。
【請求項６】
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有する通信ネットワークシステムにおける前記通信端末に前記個別認証情報を自動的に設定し、
前記通信端末は、
自通信端末をユニークに特定する固有値があらかじめ付与されているとともに、
前記識別サーバに初めて接続する際に必要とする接続設定用初回認証情報をあらかじめ記憶部に保存し、かつ、自通信端末に関する前記個別認証情報を取得した際に該個別認証情報を前記記憶部に保存する保存ステップと、
自通信端末を使用するユーザに関するユーザ識別情報を保存しているＳＩＭカードを挿入するＳＩＭカードスロットから前記ユーザ識別情報を読み出す読み出しステップと、
前記識別サーバに初めて接続する際に前記接続設定用初回認証情報を含む接続要求を前記携帯電話網を介して前記識別サーバに送信する初回接続ステップと、
前記固有値と前記ユーザ識別情報とを含む個別認証情報取得要求を前記携帯電話網を介して前記識別サーバに送信する取得要求ステップと、
前記識別サーバおよび前記携帯電話網を介して前記保存サーバから自通信端末の前記個別認証情報を受け取った際に、該個別認証情報を前記保存ステップにより前記記憶部に保存して、インターネット接続サービス用の個別認証を自動的に設定する自動設定ステップと
を有していることを特徴とする個別認証情報設定方法。
【請求項７】
前記識別サーバは、
各前記通信端末の前記固有値を含む端末情報を識別サーバ用記憶部にあらかじめ登録する端末情報登録ステップと、
前記通信端末から前記接続設定用初回認証情報を含む前記接続要求を前記携帯電話網を介して受け取った際に、前記携帯電話網を介して要求元の前記通信端末と接続する接続ステップと、
前記通信端末から前記個別認証情報取得要求を前記携帯電話網を介して受け取った際に、該個別認証情報取得要求に含まれている前記固有値が前記識別サーバ用記憶部内の前記端末情報に登録されているか否かを確認する端末識別ステップと、
前記端末識別ステップにおいて前記通信端末から受け取った前記個別認証情報取得要求に含まれている前記固有値が前記識別サーバ用記憶部内の前記端末情報に登録されていることを確認した場合、前記通信端末から受け取った前記ユーザ識別情報を含む前記個別認証情報取得要求を、前記保存サーバに転送する取得要求転送ステップと、
転送した前記個別認証情報取得要求に応じて前記保存サーバから前記個別認証情報を受け取った際に、受け取った前記個別認証情報を前記個別認証情報取得要求の送信元の前記通信端末に前記携帯電話網を介して転送する個別認証情報転送ステップと
を有していることを特徴とする請求項６に記載の個別認証情報設定方法。
【請求項８】
前記識別サーバは、
前記保存サーバが複数台接続され、
前記端末情報登録ステップは、前記識別サーバ用記憶部に登録する前記端末情報として、各前記通信端末の前記個別認証情報を登録している前記保存サーバを特定する保存サーバ特定情報を前記固有値に紐付けた状態であらかじめ登録し、
前記端末識別ステップは、前記端末識別ステップにおいて前記個別認証情報取得要求に含まれている前記固有値が登録されていることを確認した前記識別サーバ用記憶部の前記端末情報に、該固有値に紐付けた状態で登録されている前記保存サーバ特定情報を読み出し、複数台の前記保存サーバのうち該保存サーバ特定情報により特定された保存サーバに、前記通信端末から受け取った前記ユーザ識別情報を少なくとも含む前記個別認証情報取得要求を転送する
ことを特徴とする請求項７に記載の個別認証情報設定方法。
【請求項９】
前記保存サーバは、
各前記通信端末の前記ユーザ識別情報とインターネット接続サービスに必要とする情報とを紐付けた状態の前記個別認証情報を保存サーバ用記憶部にあらかじめ登録する個別認証情報登録ステップと、
前記識別サーバから転送されてきた前記通信端末の前記個別認証情報取得要求を受け取った際に、該個別認証情報取得要求に含まれている前記ユーザ識別情報が、前記保存サーバ用記憶部内の前記個別認証情報に登録されているか否かを確認し、登録されていた場合には、該ユーザ識別情報に該当する前記個別認証情報を前記保存サーバ用記憶部から読み出して、前記識別サーバに送信する個別認証情報検索ステップと
を有することを特徴とする請求項７または８に記載の個別認証情報設定方法。
【請求項１０】
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有する通信ネットワークシステムにおいて、前記通信端末に前記個別認証情報を自動的に設定する動作をコンピュータによって実行し、
前記通信端末は、
自通信端末をユニークに特定する固有値があらかじめ付与されているとともに、
前記識別サーバに初めて接続する際に必要とする接続設定用初回認証情報をあらかじめ記憶部に保存し、かつ、自通信端末に関する前記個別認証情報を取得した際に該個別認証情報を前記記憶部に保存する保存処理と、
自通信端末を使用するユーザに関するユーザ識別情報を保存しているＳＩＭカードを挿入するＳＩＭカードスロットから前記ユーザ識別情報を読み出す読み出し処理と、
前記識別サーバに初めて接続する際に前記接続設定用初回認証情報を含む接続要求を前記携帯電話網を介して前記識別サーバに送信する初回接続処理と、
前記固有値と前記ユーザ識別情報とを含む個別認証情報取得要求を前記携帯電話網を介して前記識別サーバに送信する取得要求処理と、
前記識別サーバおよび前記携帯電話網を介して前記保存サーバから自通信端末の前記個別認証情報を受け取った際に、該個別認証情報を前記保存処理により前記記憶部に保存して、インターネット接続サービス用の個別認証を自動的に設定する自動設定処理と
を有していることを特徴とする個別認証情報設定プログラム。
【発明の詳細な説明】
【技術分野】
【０００１】
本発明は、通信ネットワークシステム、個別認証情報設定方法および個別認証情報設定プログラムに関する。
【背景技術】
【０００２】
インターネット接続サービスを提供する仮想移動体通信事業者（ＭＶＮＯ：Mobile  Virtual  Network  Operator）の中には、移動体通信事業者（ＭＮＯ：Mobile  Network  Operator）が保有する例えばＬＴＥ（Long  Term  Evolution）／３Ｇといった携帯電話網を借り受け事業者もある。このような事業者としては、例えば、特許文献１の特開２００７−２８１８６１号公報「端末認証方法および携帯端末装置」等に記載されているように、ユーザに対して、インターネット接続サービスに必要になる個別認証情報（ＡＰＮ（Access  Point  Name：接続先情報）、ユーザＩＤ、パスワード等の情報）を提供している事業者がある。そして、この種の仮想移動体通信事業者（ＭＶＮＯ）は、該個別認証情報を用いて、ユーザごとに、提供するサービスや通信量や課金の管理を行う手段を提供している。
【０００３】
しかしながら、現状の個別認証情報サービスでは、モバイルルータ等のデータ通信端末に対して該個別認証情報をユーザが手動により設定することが必要であり、ユーザの入力間違い等によりインターネット接続サービスを利用ことができないことがあった。
【０００４】
このため、個別認証情報を手動で入力するユーザの負担を軽減するために、各種の提案がなされている。例えば、特許文献２の特開２００５−１４２９７３号公報「ネットワーク接続システムおよびネットワーク接続方法」においては、回線事業者が保有する回線設備に対して物理的接続を行い、通信端末が接続した物理ポート情報およびＩＰ（Internet  Protocol）アドレスなどの論理接続情報を用いることによって、ユーザ特定および個別認証情報設定を行うという技術を提案している。しかしながら、ＬＴＥ／３Ｇといった携帯電話網においては、ＩＰアドレスはネットワーク接続時に動的に割り当てられるため、ＩＰアドレスからユーザの特定を行うことはできない。したがって、個別認証情報の設定を自動的に行うということを実現することができない。
【０００５】
また、特許文献３の特開２００６−２９５７４７号公報「通信端末の遠隔制御システムおよび方法」においては、あらかじめ回線接続が完了して発呼先のＩＰアドレスが判明しているＩＰ電話端末に対して、サーバ側から発呼を行うことを契機として、ＩＰ電話端末の設定情報の書き換えを行うという技術を提案している。しかしながら、ＬＴＥ／３Ｇといった携帯電話網においては、前記特許文献２の場合と同様に、ＩＰアドレスはネットワーク接続時に動的に割り当てられるため、回線接続完了時のＩＰアドレスからは、ユーザ特定を行うことはできない。したがって、前記特許文献２の場合と同様、個別認証情報の設定を自動的に行うということを実現することができない。
【先行技術文献】
【特許文献】
【０００６】
【特許文献１】特開２００７−２８１８６１号公報
【特許文献２】特開２００５−１４２９７３号公報
【特許文献３】特開２００６−２９５７４７号公報
【発明の概要】
【発明が解決しようとする課題】
【０００７】
前述したように、仮想移動体通信事業者からンターネット接続サービスに必要となる個別認証情報が該仮想移動体通信事業者のインターネット接続サービスを利用するユーザに提供された際に、ユーザが使用する通信端末に対して個別認証情報を設定することが必要になる。
【０００８】
本発明に関連する前記特許文献２、特許文献３等には、該個別認証情報を通信端末に自動的に設定する技術が提案されているが、いずれもＩＰアドレスを利用するものであり、前述したように、ＬＴＥ／３Ｇ等の現在の携帯電話網を使用する通信端末においては、該個別認証情報を通信端末に自動的に設定することができなく、ユーザが手動で設定することが必要であり、ユーザの負担を軽減することができない。このように現状の技術には、インターネット接続サービスに必要な個別認証情報を通信端末に自動的に設定することができず、解決するべき課題があった。
【０００９】
（本開示の目的）
本開示の目的は、かかる課題に鑑み、携帯電話網を使用する場合であっても、インターネット接続サービスに必要とする個別認証情報を通信端末に自動的に設定することが可能な通信ネットワークシステム、自動ネットワーク接続方法および自動ネットワーク接続プログラムを提供することにある。
【課題を解決するための手段】
【００１０】
前述の課題を解決するため、本発明による通信ネットワークシステム、個別認証情報設定方法および個別認証情報設定プログラムは、主に、次のような特徴的な構成を採用している。
【００１１】
（１）本発明による通信ネットワークシステムは、
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有し、
前記通信端末は、
自通信端末をユニークに特定する固有値があらかじめ付与されているとともに、
前記識別サーバに初めて接続する際に必要とする接続設定用初回認証情報をあらかじめ保存し、かつ、自通信端末に関する前記個別認証情報を取得した際に該個別認証情報を保存するための記憶部と、
自通信端末を使用するユーザに関するユーザ識別情報を保存しているＳＩＭカードを挿入するＳＩＭカードスロットと、
前記識別サーバに初めて接続する際に前記接続設定用初回認証情報を含む接続要求を前記携帯電話網を介して前記識別サーバに送信する初回接続手段と、
前記固有値と前記ユーザ識別情報とを含む個別認証情報取得要求を前記携帯電話網を介して前記識別サーバに送信する取得要求手段と、
前記識別サーバおよび前記携帯電話網を介して前記保存サーバから自通信端末の前記個別認証情報を受け取った際に、該個別認証情報を前記記憶部に保存し、インターネット接続サービス用の個別認証を自動的に設定する自動設定手段と
を有することを特徴とする。
【００１２】
（２）本発明による個別認証情報設定方法は、
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有する通信ネットワークシステムにおける前記通信端末に前記個別認証情報を自動的に設定し、
前記通信端末は、
自通信端末をユニークに特定する固有値があらかじめ付与されているとともに、
前記識別サーバに初めて接続する際に必要とする接続設定用初回認証情報をあらかじめ記憶部に保存し、かつ、自通信端末に関する前記個別認証情報を取得した際に該個別認証情報を前記記憶部に保存する保存ステップと、
自通信端末を使用するユーザに関するユーザ識別情報を保存しているＳＩＭカードを挿入するＳＩＭカードスロットから前記ユーザ識別情報を読み出す読み出しステップと、
前記識別サーバに初めて接続する際に前記接続設定用初回認証情報を含む接続要求を前記携帯電話網を介して前記識別サーバに送信する初回接続ステップと、
前記固有値と前記ユーザ識別情報とを含む個別認証情報取得要求を前記携帯電話網を介して前記識別サーバに送信する取得要求ステップと、
前記識別サーバおよび前記携帯電話網を介して前記保存サーバから自通信端末の前記個別認証情報を受け取った際に、該個別認証情報を前記保存ステップにより前記記憶部に保存して、インターネット接続サービス用の個別認証を自動的に設定する自動設定ステップと
を有していることを特徴とする。
【００１３】
（３）本発明による個別認証情報設定プログラムは、
携帯電話網を介してデータの送受信を行う通信端末と、携帯電話網に接続され、かつ、前記通信端末の端末識別を行う識別サーバと、該識別サーバに接続され、かつ、各前記通信端末がインターネット接続サービスに必要とする個別認証情報を保存する保存サーバとを有する通信ネットワークシステムにおいて、前記通信端末に前記個別認証情報を自動的に設定する動作をコンピュータによって実行し、
前記通信端末は、
自通信端末をユニークに特定する固有値があらかじめ付与されているとともに、
前記識別サーバに初めて接続する際に必要とする接続設定用初回認証情報をあらかじめ記憶部に保存し、かつ、自通信端末に関する前記個別認証情報を取得した際に該個別認証情報を前記記憶部に保存する保存処理と、
自通信端末を使用するユーザに関するユーザ識別情報を保存しているＳＩＭカードを挿入するＳＩＭカードスロットから前記ユーザ識別情報を読み出す読み出し処理と、
前記識別サーバに初めて接続する際に前記接続設定用初回認証情報を含む接続要求を前記携帯電話網を介して前記識別サーバに送信する初回接続処理と、
前記固有値と前記ユーザ識別情報とを含む個別認証情報取得要求を前記携帯電話網を介して前記識別サーバに送信する取得要求処理と、
前記識別サーバおよび前記携帯電話網を介して前記保存サーバから自通信端末の前記個別認証情報を受け取った際に、該個別認証情報を前記保存処理により前記記憶部に保存して、インターネット接続サービス用の個別認証を自動的に設定する自動設定処理と
を有していることを特徴とする。
【発明の効果】
【００１４】
本発明の通信ネットワークシステム、個別認証情報設定方法および個別認証情報設定プログラムによれば、主に、以下のような効果を奏することができる。
【００１５】
すなわち、本発明においては、携帯電話網のようなＩＰアドレスからユーザ識別を行うことのできないネットワークを介してインターネット接続を行う場合であっても、通信端末のユーザは、自通信端末に関する固有値とユーザ識別情報とを用いて携帯電話網を介して識別サーバにアクセスする操作を行うだけで、インターネット接続サービスに必要とする個別認証情報を自動的に取得して設定することができる。而して、通信端末のユーザは、現状の技術のように、自通信端末に対して前記個別認証情報を手動で設定する必要がなく、設定の手間を省き、かつ、設定ミスの発生を防止して、インターネット接続サービスを容易に享受することができる。すなわち、携帯電話網を使用してインターネット接続サービスを受ける通信端末のユーザの利便性を大幅に向上させることができる。
【図面の簡単な説明】
【００１６】
【図１】本発明に係る通信ネットワークシステムのシステム構成の一例を示すシステム構成図である。
【図２】図１に示した識別サーバの内部構成の一例を示すブロック構成図である。
【図３】図１に示した保存サーバの内部構成の一例を示すブロック構成図である。
【図４】図１に示した通信ネットワークシステムの動作の一例を示すフローチャートである。
【図５】本発明に係る通信ネットワークシステムのシステム構成の図１とは異なる他の例を示すシステム構成図である。
【図６】図５に示した通信ネットワークシステムの動作の一例を示すフローチャートである。
【発明を実施するための形態】
【００１７】
以下、本発明による通信ネットワークシステム、個別認証情報設定方法および個別認証情報設定プログラムの好適な実施形態について添付図を参照して説明する。なお、以下の説明においては、本発明による通信ネットワークシステムおよび個別認証情報設定方法について説明するが、かかる個別認証情報設定方法をコンピュータにより実行可能な個別認証情報設定プログラムとして実施するようにしても良いし、あるいは、個別認証情報設定プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１８】
（本発明の特徴）
本発明の実施形態の説明に先立って、本発明の特徴についてその概要をまず説明する。本発明は、携帯電話網を経由して個別認証情報の取得要求をしてくる通信端末の識別を固有値すなわち端末識別番号（ＩＭＥＩ：International  Mobile  Subscriber  Identity）により行う識別サーバと各通信端末の個別認証情報をあらかじめ保存する保存サーバとを備え、保存サーバが、識別サーバからの識別結果の通知を受け取ることにより、取得要求元の通信端末の個別認証情報を検索して、検索した個別認証情報を、携帯電話網を経由して、取得要求元の通信端末に返送することにより、該通信端末が自通信端末の個別認証情報を自動的に取得して設定することができることを、主要な特徴としている。
【００１９】
＜本発明の実施形態＞
次に、本発明に係る通信ネットワークシステムについて図面を参照しながら詳細に説明する。
【００２０】
（本発明の実施形態の構成例）
まず、本発明に係る通信ネットワークシステムのシステム構成について、その一例を、図１を参照しながら説明する。図１は、本発明に係る通信ネットワークシステムのシステム構成の一例を示すシステム構成図である。
【００２１】
図１に示すように、本発明の実施形態に係る通信ネットワークシステムは、携帯電話網４０を介して接続された通信端末１０と、識別サーバ２０と、該識別サーバ２０に接続された保存サーバ３０とを少なくとも含んで構成される。
【００２２】
ユーザが使用する通信端末１０は、インターネット接続サービスのための個別認証情報を取得する個別認証情報取得要求を、携帯電話網４０を介して、識別サーバ２０に対して送信して、要求した個別認証情報を保存サーバ３０から識別サーバ２０、携帯電話網４０を介して返送してもらうことによって、個別認証情報を自動的に設定する機能を有している。ここで、通信端末１０は、図１に示すように、内部に、携帯電話網通信部１１、制御部１２、記憶部１３、ＳＩＭカードスロット１４を少なくとも備えている。なお、通信端末１０には、自通信端末１０をユニークに特定する固有値すなわち端末識別番号（ＩＭＥＩ：International  Mobile  Subscriber  Identity）があらかじめ付与されている。
【００２３】
携帯電話網通信部１１は、携帯電話網４０を介して個別認証情報やデータの送受信を行う。制御部１２は、自通信端末１０の動作の制御を行う。記憶部１３は、認証情報や端末設定に関する情報を保存する。ＳＩＭカードスロット１４は、ＳＩＭカード５０を挿抜するスロットである。なお、記憶部１３には、識別サーバ２０に初めて接続する際に必要とする接続設定用初回認証情報１３１があらかじめ設定されている。また、記憶部１３は、自通信端末１０に関する個別認証情報を保存サーバ３０から取得した際に該個別認証情報を保存する領域も有している。また、ＳＩＭカード５０には、自通信端末１０を使用するユーザに関するユーザ識別情報（ＩＭＳＩ：International  Mobile  Subscriber  Identity）５０１が保存されている。
【００２４】
なお、制御部１２は、内部に、接続部１２１、取得要求部１２２、自動設定部１２３を少なくとも備えている。
【００２５】
接続部１２１は、識別サーバ２０に初めて接続する際に記憶部１３にあらかじめ設定されている接続設定用初回認証情報を少なくとも含む接続要求を携帯電話網４０を介して識別サーバ２０に送信して、識別サーバ２０と接続する動作を行う。また、取得要求部１２２は、自通信端末１０に付与されている固有値すなわち端末識別番号（ＩＭＥＩ）とＳＩＭカード５０に保存されているユーザ識別情報（ＩＭＳＩ）とを少なくとも含む個別認証情報取得要求を携帯電話網４０を介して識別サーバ２０に送信する動作を行う。また、自動設定部１２３は、識別サーバ２０、携帯電話網４０を介して保存サーバ３０から自通信端末１０の個別認証情報を受け取った際に、該個別認証情報を記憶部１３に保存して、インターネット接続サービス用の個別認証を自動的に設定する動作を行う。
【００２６】
次に、識別サーバ２０は、個別認証情報取得要求を送信してきた通信端末１０を、当該通信端末１０の固有値すなわち端末識別番号（ＩＭＥＩ）を用いて識別するとともに、当該通信端末１０からユーザ識別情報（ＩＭＳＩ）を取得して、取得したユーザ識別情報（ＩＭＳＩ）を付した個別認証情報取得要求を保存サーバ３０に対して転送する機能と、保存サーバ３０から返送されてきた個別認証情報を、要求元の通信端末１０に対して携帯電話網４０を介して返送する機能と、を有している。ここで、図２に示すように、識別サーバ２０は、内部に、識別サーバ用通信部２１、識別サーバ用制御部２２、識別サーバ用記憶部２３を少なくとも備えている。図２は、図１に示した識別サーバ２０の内部構成の一例を示すブロック構成図である。
【００２７】
識別サーバ用通信部２１は、携帯電話網４０を介して、通信端末１０から接続設定用初回認証情報や個別認証情報取得要求を受信したり、通信端末１０に対して個別認証情報を送信したり、通信端末１０との間で任意の各種データを送受信する機能を有する。さらに、識別サーバ用通信部２１は、保存サーバ３０に対して個別認証情報取得要求を送信したり、保存サーバ３０から個別認証情報を受信したり、保存サーバ３０との間で各種データを送受信する機能を有する。
【００２８】
また、識別サーバ用記憶部２３は、各通信端末１０の固有値すなわち端末識別番号（ＩＭＥＩ）を少なくとも含む端末情報（ＩＭＥＩ、出荷先情報）２３１をあらかじめ登録している。図２に示す端末情報２３１には、通信端末１０の固有値すなわち端末識別番号（ＩＭＥＩ）に紐付けた状態で、出荷先情報（当該通信端末１０の出荷先の仮想移動体通信事業者を示す情報）が登録されている例を示している。該出荷先情報は、本実施形態においては使用することがないが、他の実施形態として後述するように、複数台の保存サーバ３０が接続されている場合に、適切な保存サーバを特定する保存サーバ特定情報となる情報である。すなわち、複数台の保存サーバ３０のうち、固有値すなわち端末識別番号（ＩＭＥＩ）が示す通信端末１０の個別認証情報を登録している保存サーバを特定する保存サーバ特定情報として用いるための情報である。
【００２９】
また、識別サーバ用制御部２２は、自識別サーバ２０の動作を制御する機能を有し、端末識別部２２１、接続部２２２、取得要求転送部２２３、個別認証情報転送部２２４を少なくとも内部に備えている。
【００３０】
端末識別部２２１は、通信端末１０から個別認証情報取得要求を携帯電話網４０を介して受け取った際に、該個別認証情報取得要求に含まれている固有値すなわち端末識別番号（ＩＭＥＩ）が識別サーバ用記憶部２３内の端末情報２３１に登録されているか否かを確認することによって、該通信端末１０を識別する動作を行う。また、接続部２２２は、通信端末１０から接続設定用初回認証情報を含む接続要求を携帯電話網４０を介して受け取った際に、該接続設定用初回認証情報に基づいて認証動作を行い、認証が得られた場合には、携帯電話網４０を介して要求元の通信端末１０と接続する動作を行う。
【００３１】
また、取得要求転送部２２３は、端末識別部２２１において通信端末１０から受け取った個別認証情報取得要求に含まれている固有値すなわち端末識別番号（ＩＭＥＩ）が識別サーバ用記憶部２３内の端末情報２３１に登録されていることを確認した場合、通信端末１０から受け取ったユーザ識別情報（ＩＭＳＩ）を少なくとも含む個別認証情報取得要求を、保存サーバ３０に転送する動作を行う。また、個別認証情報転送部２２４は、転送した前記個別認証情報取得要求に応じて保存サーバ３０から個別認証情報を受け取った際に、受け取った該個別認証情報を個別認証情報取得要求の送信元の通信端末１０に携帯電話網４０を介して転送する動作を行う。
【００３２】
また、保存サーバ３０は、各通信端末１０の個別認証情報をあらかじめ保存していて、識別サーバ２０から転送されてきたユーザ識別情報（ＩＭＳＩ）に基づいて、保存している各通信端末１０の個別認証情報の中から、識別サーバ２０から転送されてきた個別認証情報取得要求の送信元の通信端末１０に関する個別認証情報を抽出して、識別サーバ２０に対して返送する機能を有している。ここで、図３に示すように、保存サーバ３０は、内部に、保存サーバ用通信部３１、保存サーバ用制御部３２、保存サーバ用記憶部３３を少なくとも備えている。図３は、図１に示した保存サーバ３０の内部構成の一例を示すブロック構成図である。
【００３３】
保存サーバ用通信部３１は、携帯電話網４０を介して、識別サーバ２０から個別認証情報取得要求を受信したり、識別サーバ２０に対して個別認証情報を送信したり、識別サーバ２０との間で各種データを送受信する機能を有する。また、保存サーバ用記憶部３３には、各通信端末１０のユーザ識別情報（ＩＭＳＩ）とインターネット接続サービスに必要とする情報（ＡＰＮ（Access  Point  Name：接続先情報）、ユーザ名、パスワード）とを紐付けた状態の個別認証情報（ＩＭＳＩ、ＡＰＮ、ユーザ名、パスワード）３３１をあらかじめ登録している。
【００３４】
また、保存サーバ用制御部３２は、自保存サーバ３０の動作を制御する機能を有し、取得要求された個別認証情報の検索を行う個別認証情報検索部３２１を少なくとも内部に備えている。つまり、個別認証情報検索部３２１は、識別サーバ２０から転送されてきた通信端末１０の個別認証情報取得要求を受け取った際に、該個別認証情報取得要求に含まれているユーザ識別情報（ＩＭＳＩ）が、保存サーバ用記憶部３３の個別認証情報３３１に登録されているか否かを確認し、登録されていた場合には、該ユーザ識別情報（ＩＭＳＩ）に該当する個別認証情報を保存サーバ用記憶部３３から読み出して、識別サーバ２０に送信する動作を行う。
【００３５】
以下、図１のシステム構成図を参照しながら、個別認証情報をユーザの通信端末１０に自動的に設定する仕組みの一例について説明する。ここで、図１の通信ネットワークシステムは、前述したように、ユーザの通信端末１０がＬＴＥ／３Ｇベースの携帯電話網４０を介して識別サーバ２０に接続することが可能であり、また、該識別サーバ２０には保存サーバ３０が接続されている。
【００３６】
なお、図１に示す保存サーバ３０は、前述したように、各通信端末１０の個別認証情報（ＩＭＳＩ、ＡＰＮ、ユーザ名、パスワード）をあらかじめ保存しているサーバである。また、図１に示す識別サーバ２０は、前述したように、通信端末１０のユーザ識別情報（ＩＭＳＩ）を用いて端末識別を行い、接続している保存サーバ３０から該当する通信端末１０の個別認証情報を取得するサーバである。
【００３７】
通信端末１０は、自通信端末１０の個別認証情報の取得要求を識別サーバ２０に対して行う場合、まず、制御部１２の接続部１２１において、記憶部１３にあらかじめ設定されている接続設定用初回認証情報１３１を用いて、携帯電話網４０を介して、識別サーバ２０に接続要求を送信する。識別サーバ２０は、識別サーバ用制御部２２の接続部２２２において、該接続要求に含まれている接続設定用初回認証情報１３１による認証を行うことにより、携帯電話網４０を介した要求元の通信端末１０との接続を行う。
【００３８】
通信端末１０は、識別サーバ２０に接続されたことを確認すると、次に、制御部１２の取得要求部１２２において、自通信端末１０の固有値すなわち端末識別番号（ＩＭＥＩ）およびＳＩＭカード５０に保存されたユーザ識別情報（ＩＭＳＩ）５０１を少なくとも含む個別認証情報取得要求を識別サーバ２０に送信する。通信端末１０からの個別認証情報取得要求の通知を受け取った識別サーバ２０は、識別サーバ用制御部２２の端末識別部２２１において、通信端末１０から通知されてきた該通信端末１０の固有値すなわち端末識別番号（ＩＭＥＩ）と識別サーバ２０内の識別サーバ用記憶部２３にあらかじめ保存されている各端末情報（ＩＭＥＩ、出荷先情報）２３１それぞれとを比較する。
【００３９】
識別サーバ用記憶部２３にあらかじめ保存されている端末情報２３１の端末識別番号（ＩＭＥＩ）を検索して、通知されてきた通信端末１０の固有値すなわち端末識別番号（ＩＭＥＩ）と一致する情報が存在していた場合には、識別サーバ用制御部２２の取得要求転送部２２３が動作して、当該通信端末１０から受け取っているユーザ識別情報（ＩＭＳＩ）５０１を含む個別認証情報取得要求を保存サーバ３０に転送する。
【００４０】
識別サーバ２０からユーザ識別情報（ＩＭＳＩ）５０１を含む個別認証情報取得要求を受け取った保存サーバ３０は、図３に示した保存サーバ用制御部３２の個別認証情報検索部３２１において、識別サーバ２０から転送されてきたユーザ識別情報（ＩＭＳＩ）５０１に基づいて、自保存サーバ３０内の保存サーバ用記憶部３３にあらかじめ保存されている各通信端末１０の個別認証情報（ＩＭＳＩ、ＡＰＮ（Access  Point  Name：接続先情報）、ユーザ名、パスワード）３３１を検索する。転送されてきたユーザ識別情報（ＩＭＳＩ）５０１と一致するＩＭＳＩを有する個別認証情報を検索すると、保存サーバ３０は、検索した個別認証情報を、識別サーバ２０に転送する。
【００４１】
識別サーバ２０は、保存サーバ３０から個別認証情報を受け取ると、識別サーバ用制御部２２の個別認証情報転送部２２４において、受け取った個別認証情報を、通信端末１０の固有値すなわち端末識別番号（ＩＭＥＩ）を用いて、携帯電話網４０を経由して、個別認証情報取得要求の送信元の通信端末１０に通知する。
【００４２】
通信端末１０は、保存サーバ３０から識別サーバ２０、携帯電話網４０を介して通知されてきた個別認証情報を受け取ると、制御部１２の自動設定部１２３において、受け取った個別認証情報を自通信端末１０内の記憶部１３に保存して、インターネット接続サービス用の個別認証を自動的に設定する。以降、通信端末１０は、記憶部１３に保存した個別認証情報を用いてインターネット接続サービスの個別認証設定を行うことができる。
【００４３】
而して、通信端末１０は、ユーザが手動で個別認証情報の設定を行うことなく、携帯電話網４０のようなＩＰアドレスによるユーザ識別を行うことができないネットワークに接続されている場合であっても、自動的に、インターネット接続サービスのための個別認証情報の設定を行うことができるという効果が得られる。つまり、携帯電話網４０のようなＩＰアドレスによるユーザ識別を行うことができないネットワークに接続されている場合には、ユーザが通信端末１０に対して手動で個別認証情報を設定する必要があるという現状の技術における課題を解決することができる。
【００４４】
（本発明の実施形態の動作の説明）
次に、本発明の一実施形態として図１に示した通信ネットワークシステムの動作について、図４のフローチャートを参照しながら詳細に説明する。図４は、図１に示した通信ネットワークシステムの動作の一例を示すフローチャートである。図４のフローチャートにおいては、通信端末１０の固有値すなわち端末識別番号（ＩＭＥＩ）とＳＩＭカード５０に保存されたユーザ識別情報（ＩＭＳＩ）５０１とを用いて、保存サーバ３０にあらかじめ保存されている当該通信端末１０の個別認証情報（ＩＭＳＩ、ＡＰＮ、ユーザ名、パスワード）を自動的に取得して設定するまでの動作についてその一例を説明している。
【００４５】
図４のフローチャートにおいて、通信端末１０が、インターネット接続サービアスを享受するために、自通信端末１０の個別認証情報（ＩＭＳＩ、ＡＰＮ、ユーザ名、パスワード）を取得しようとして、自通信端末１０の電源をオン（Ｏｎ）にすると（ステップＳ１）、制御部１２は、まず、ＳＩＭカードスロット１４に、ユーザ識別情報（ＩＭＳＩ）５０１が格納されているＳＩＭカード５０が挿入されているか否かを確認する（ステップＳ２）。挿入されていなかった場合には（ステップＳ２のＮｏ）、個別認証情報の自動設定動作を行うことなく、図４の処理を終了する（ステップＳ１０）。
【００４６】
一方、ＳＩＭカードスロット１４に、ユーザ識別情報（ＩＭＳＩ）５０１が格納されているＳＩＭカード５０が挿入されていた場合には（ステップＳ２のＹｅｓ）、挿入されたＳＩＭカード５０が初めて挿入されたＳＩＭカードであるか否かを確認する（ステップＳ３）。挿入されたＳＩＭカード５０が初めて挿入されたＳＩＭカードではなかった場合（ステップＳ３のＮｏ）、自通信端末１０は、当該ユーザに関する個別認証情報を既に取得済みになっていて、記憶部１３に保存されているので、前回接続時に取得した個別認証情報を使用することとし、個別認証情報の重複する自動的な設定動作は行わない。すなわち、記憶部１３に保存されている個別認証情報をインターネット接続サービス用に設定して、図４のフローチャートを終了する（ステップＳ１１）。
【００４７】
これに対して、挿入されたＳＩＭカード５０が初めて挿入されたＳＩＭカードであった場合（ステップＳ３のＹｅｓ）、制御部１２の接続部１２１において、記憶部１３にあらかじめ保存されている接続設定用初回認証情報１３１を読み出して、該接続設定用初回認証情報１３１を含む接続要求を、携帯電話網通信部１１から、携帯電話網４０を介して、識別サーバ２０に送信して、識別サーバ２０との間の接続をまず行う。識別サーバ２０との間の接続がなされると、次に、制御部１２の取得要求部１２２において、自通信端末１０の固有値すなわち端末識別番号（ＩＭＥＩ）とＳＩＭカード５０に保存されているユーザ識別情報（ＩＭＳＩ）５０１とを含む個別認証情報取得要求を作成して、携帯電話網通信部１１から、接続している識別サーバ２０に対して通知する（ステップＳ４）。
【００４８】
識別サーバ２０は、通信端末１０からの該個別認証情報取得要求を、識別サーバ用通信部２１を介して受け取ると、識別サーバ用制御部２２の端末識別部２２１が動作して、通信端末１０から通知されてきた個別認証情報取得要求に含まれている該通信端末１０の固有値すなわち端末識別番号（ＩＭＥＩ）と識別サーバ用記憶部２３にあらかじめ登録されている端末情報（ＩＭＥＩ、出荷先情報）内の端末識別番号（ＩＭＥＩ）２３１とを比較して、両者の端末識別番号（ＩＭＥＩ）が一致する端末情報２３１が、識別サーバ用記憶部２３に登録されているか否かを確認する（ステップＳ５）。
【００４９】
通信端末１０から通知されてきた個別認証情報取得要求に含まれている該通信端末１０の固有値すなわち端末識別番号（ＩＭＥＩ）と一致する端末識別番号（ＩＭＥＩ）が、識別サーバ用記憶部２３にあらかじめ登録されている端末情報（ＩＭＥＩ、出荷先情報）２３１内に存在していなかった場合には（ステップＳ５のＮｏ）、未登録の通信端末１０からの個別認証情報取得要求であると判定する。したがって、識別サーバ２０は、端末識別番号（ＩＭＥＩ）が一致していない旨、すなわち、通信端末１０から通知されてきた個別認証情報取得要に含まれている該通信端末１０の固有値すなわち端末識別番号（ＩＭＥＩ）が登録されていない旨を、要求元の通信端末１０に通知して、個別認証情報の自動的な設定動作を行うことなく、図４のフローチャートを終了する（ステップＳ１２）。
【００５０】
一方、通信端末１０から通知されてきた個別認証情報取得要求に含まれている該通信端末１０の固有値すなわち端末識別番号（ＩＭＥＩ）と一致する端末識別番号（ＩＭＥＩ）が、識別サーバ用記憶部２３にあらかじめ登録されている端末情報（ＩＭＥＩ、出荷先情報）２３１内に存在していた場合には（ステップＳ５のＹｅｓ）、登録済みの通信端末１０からの個別認証情報取得要求であると判定する。したがって、識別サーバ２０においては、識別サーバ用制御部２２の取得要求転送部２２３が動作して、通信端末１０から通知されてきた個別認証情報取得要求に含まれている該通信端末１０のユーザ識別情報（ＩＭＳＩ）５０１を少なくとも含む個別認証情報取得要求を、保存サーバ３０に転送する（ステップＳ６）。
【００５１】
保存サーバ３０は、識別サーバ２０から転送されてきた該個別認証情報取得要求を、保存サーバ用通信部３１を介して受け取ると、保存サーバ用制御部３２の個別認証情報検索部３２１が動作して、識別サーバ２０から転送されてきた通信端末１０の個別認証情報取得要求に含まれている該通信端末１０のユーザ識別情報（ＩＭＳＩ）５０１と保存サーバ用記憶部３３にあらかじめ登録されている個別認証情報（ＩＭＳＩ、ＡＰＮ、ユーザ名、パスワード）３３１内のユーザ識別情報（ＩＭＳＩ）とを比較して、両者のユーザ識別情報（ＩＭＳＩ）が一致する個別認証情報３３１が、保存サーバ用記憶部３３に登録されているか否かを確認する（ステップＳ７）。
【００５２】
識別サーバ２０から転送されてきた通信端末１０の個別認証情報取得要求に含まれているユーザ識別情報（ＩＭＳＩ）５０１と一致するユーザ識別情報（ＩＭＳＩ）が、保存サーバ用記憶部３３にあらかじめ登録されている個別認証情報（ＩＭＳＩ、ＡＰＮ、ユーザ名、パスワード）３３１内に存在していなかった場合には（ステップＳ７のＮｏ）、未契約の通信端末１０からの個別認証情報取得要求であると判定する。したがって、保存サーバ３０は、契約情報が一致していない旨、すなわち、通信端末１０から通知されてきた個別認証情報取得要に含まれている該通信端末１０のユーザ識別情報（ＩＭＳＩ）が登録されていない旨を、識別サーバ２０を経由して、個別認証情報取得要求の送信元の通信端末１０に通知して、個別認証情報の自動的な設定動作を行うことなく、図４のフローチャートを終了する（ステップＳ１３）。
【００５３】
一方、識別サーバ２０から転送されてきた通信端末１０の個別認証情報取得要求に含まれている該通信端末１０のユーザ識別情報（ＩＭＳＩ）５０１と一致するユーザ識別情報（ＩＭＳＩ）が、保存サーバ用記憶部３３にあらかじめ登録されている個別認証情報（ＩＭＳＩ、ＡＰＮ、ユーザ名、パスワード）３３１内に存在していた場合には（ステップＳ７のＹｅｓ）、契約済みの通信端末１０からの個別認証情報取得要求であると判定する。したがって、保存サーバ３０は、識別サーバ２０から転送されてきた通信端末１０の個別認証情報取得要求に含まれている該通信端末１０のユーザ識別情報（ＩＭＳＩ）５０１と同じユーザ識別情報（ＩＭＳＩ）を含む個別認証情報を保存サーバ用記憶部３３の個別認証情報（ＩＭＳＩ、ＡＰＮ、ユーザ名、パスワード）３３１から抽出して、識別サーバ２０、携帯電話網４０を経由して、個別認証情報取得要求の送信元の通信端末１０に通知する（ステップＳ８）。
【００５４】
通信端末１０は、保存サーバ３０から識別サーバ２０、携帯電話網４０を経由して通知されてきた個別認証情報を携帯電話網通信部１１を介して受け取ると、制御部１２の自動設定部１２３において、受け取った該個別認識情報を記憶部１３に保存して、保存した該個別認証情報によりインターネット接続サービス用の個別認証を自動的に設定してインタ―ネットへのネットワーク接続を実施する（ステップＳ９）。
【００５５】
通信端末１０において、個別認証情報の自動設定を一度終了した後は、通信端末１０の制御部１２は、ＳＩＭカードスロット１４に対するＳＩＭカードの挿抜状態を監視する状態に復帰し、ＳＩＭカードスロット１４に新たなＳＩＭカード５０が挿入されたことを検出すると、再度、ステップＳ２に復帰して、個別認証情報の自動設定動作手順を実施する動作を繰り返す。
【００５６】
かくのごとき手順の動作を行って、通信端末１０は、識別サーバ２０、保存サーバ３０にアクセスすることによって、携帯電話網４０を経由してインターネットへのネットワーク接続を行うために必要な個別認証情報を自動的に取得して設定することができる。
【００５７】
以上に説明したように、携帯電話網４０を介して個別認証情報取得要求や各種のデータの送受信を行う通信端末１０は、識別サーバ２０に初めて接続する際に必要とする接続設定用初回認証情報１３１を記憶部１３にあらかじめ保存するとともに、当該通信端末１０のユーザに関するユーザ識別情報（ＩＭＳＩ）５０１を保存しているＳＩＭカード５０を挿入するためのＳＩＭカードスロット１４を備えている。
【００５８】
また、通信端末１０は、ＳＩＭカード５０の挿入が確認されたことを契機として、識別サーバ２０に初めて接続する際には、携帯電話網４０を介して、接続設定用初回認証情報１３１を含む接続要求を識別サーバ２０に対して送信する機能と、識別サーバ２０と接続された後、携帯電話網４０を介して、自通信端末１０の固有値すなわち端末識別番号（ＩＭＥＩ）およびユーザ識別情報（ＩＭＳＩ）を含む個別認証情報取得要求を識別サーバ２０に送信する機能と、を少なくとも備えている。
【００５９】
さらに、通信端末１０は、保存サーバ３０から識別サーバ２０、携帯電話網４０を介して送信されてきた自通信端末１０の個別認証情報を記憶部１３に保存し、インターネット接続サービス用の個別認証情報として自動的に設定してネットワーク接続を実施する機能も備えている。
【００６０】
また、端末の固有値すなわち端末識別番号（ＩＭＥＩ）を用いて端末識別を行う識別サーバ２０は、各通信端末１０の端末情報（ＩＭＥＩ、出荷先情報）２３１を識別サーバ用記憶部２３にあらかじめ登録している。
【００６１】
また、識別サーバ２０は、携帯電話網４０を介して、通信端末１０から受け取った接続設定用初回認証情報１３１に基づいて該通信端末１０と接続する機能と、該通信端末１０から受け取った個別認証情報取得要求に含まれている当該通信端末１０の固有値すなわち端末識別番号（ＩＭＥＩ）が自識別サーバ２０に登録されているか否かを確認する機能と、要求元の通信端末１０の固有値すなわち端末識別番号（ＩＭＥＩ）が登録されている場合、該通信端末１０から受け取ったユーザ識別情報（ＩＭＳＩ）が少なくとも含まれている個別認証情報取得要求を保存サーバ３０に対して送信する機能と、を少なくとも備えている。
【００６２】
さらに、識別サーバ２０は、保存サーバ３０から個別認証情報を受け取った際に、該個別認証情報を、携帯電話網４０を介して、個別認証情報取得要求の送信元の通信端末１０に対して転送する機能も備えている。
【００６３】
また、識別サーバ２０と接続されていて各通信端末１０の個別認証情報を保存する保存サーバ３０は、契約している各通信端末の個別認証情報（ＩＭＳＩ、ＡＰＮ、ユーザ名、パスワード）３３１を保存サーバ用記憶部３３にあらかじめ登録して保存している。
【００６４】
また、保存サーバ３０は、識別サーバ２０から受け取った通信端末１０の個別認証情報取得要求に含まれている該通信端末１０のユーザ識別情報（ＩＭＳＩ）が自保存サーバ３０に登録されているか否かを確認する機能と、該通信端末１０のユーザ識別情報（ＩＭＳＩ）が登録されている場合には、該通信端末１０に関する個別認証情報（ＩＭＳＩ、ＡＰＮ、ユーザ名、パスワード）３３１を抽出して、識別サーバ２０に対して送信する機能と、を少なくとも備えている。
【００６５】
したがって、図４に示したような手順の動作を行うことによって、通信端末１０は、識別サーバ２０、保存サーバ３０にアクセスして、携帯電話網４０を経由してインターネットへのネットワーク接続を行うために必要な個別認証情報を自動的に取得して設定することができる。
【００６６】
（本発明の実施形態の効果の説明）
以上に詳細に説明したように、本実施形態においては、以下のような効果が得られる。
【００６７】
すなわち、本実施形態においては、携帯電話網４０のようなＩＰアドレスからユーザ識別を行うことのできないネットワークを介してインターネット接続を行う場合であっても、通信端末１０のユーザは、自通信端末１０に関する固有値すなわち端末識別番号（ＩＭＥＩ）とユーザ識別情報（ＩＭＳＩ）５０１とを用いて携帯電話網４０を介して識別サーバ２０にアクセスする操作を行うだけで、インターネット接続サービスに必要とする個別認証情報を自動的に取得して設定することができる。而して、通信端末１０のユーザは、現状の技術のように、自通信端末１０に対して前記個別認証情報を手動で設定する必要がなく、設定の手間を省き、かつ、設定ミスの発生を防止して、インターネット接続サービスを容易に享受することができる。すなわち、携帯電話網４０を使用してインターネット接続サービスを受ける通信端末１０のユーザの利便性を大幅に向上させることができる。
【００６８】
＜本発明の他の実施形態＞
次に、本発明に係る通信ネットワークシステムについて、前述の図１〜図４に示した実施形態とは異なる他の実施形態を、図面を参照しながら詳細に説明する。
【００６９】
（本発明の他の実施形態の構成例）
まず、本発明の他の実施形態に係る通信ネットワークシステムのシステム構成について、図１とは異なる他の例を、図５を参照しながら説明する。図５は、本発明に係る通信ネットワークシステムのシステム構成の図１とは異なる他の例を示すシステム構成図である。
【００７０】
図５に示すように、本発明の他の実施形態に係る通信ネットワークシステムは、図１に示した通信ネットワークシステムとは異なり、各通信端末１０の個別認証情報を保存する保存サーバが複数台備えられていて、識別サーバにおいて適切な保存サーバを選択してデータの送受信を行う構成からなっている。つまり、図５に示す通信ネットワークシステムは、携帯電話網４０を介して接続された通信端末１０、識別サーバ２０Ａと、該識別サーバ２０Ａに接続された複数台の保存サーバすなわち第１保存サーバ３０１、第２保存サーバ３０２、第３保存サーバ３０３…、第ｎ保存サーバ３０ｎと、を少なくとも含んで構成される。
【００７１】
ユーザが使用する通信端末１０は、図１の場合と全く同じ構成であり、インターネット接続サービスのための個別認証情報を取得する個別認証情報取得要求を、携帯電話網４０を介して、識別サーバ２０Ａに対して送信して、要求した個別認証情報を識別サーバ２０Ａから返送してもらうことによって、個別認証情報を自動的に設定する機能を有し、内部に、携帯電話網通信部１１、制御部１２、記憶部１３、ＳＩＭカードスロット１４を少なくとも備えている。つまり、複数台の保存サーバすなわち第１保存サーバ３０１、第２保存サーバ３０２、第３保存サーバ３０３…、第ｎ保存サーバ３０ｎのうち、どの保存サーバに、当該通信端末１０の個別認証情報取得要求に該当する個別認証情報が保存されているかということは、通信端末１０として判別する必要がない構成としている。
【００７２】
これに対して、識別サーバ２０Ａは、図２に示した識別サーバ２０と同様の構成からなっているが、複数台の保存サーバすなわち第１保存サーバ３０１、第２保存サーバ３０２、第３保存サーバ３０３…、第ｎ保存サーバ３０ｎのうち、どの保存サーバに、当該通信端末１０の個別認証情報取得要求に該当する個別認証情報が保存されているかを判別する機能を有している。識別サーバ２０Ａは、前述した図２に示したように、識別サーバ用記憶部２３内の端末情報２３１には、出荷先情報が、通信端末１０の固有値すなわち端末識別番号（ＩＭＥＩ）と紐付けた状態で登録されている。ここで、該出荷先情報は、前述したように、通信端末１０ごとの個別認証情報を保存している複数台の保存サーバすなわち第１保存サーバ３０１、第２保存サーバ３０２、第３保存サーバ３０３…、第ｎ保存サーバ３０ｎのどの保存サーバに個別認証情報取得要求に該当する個別認証情報が保存されているかを特定するための保存サーバ特定情報である。
【００７３】
つまり、識別サーバ２０Ａは、第１保存サーバ３０１、第２保存サーバ３０２、第３保存サーバ３０３…、第ｎ保存サーバ３０ｎのように、保存サーバ３０が複数台接続されている場合、識別サーバ用記憶部２３に登録する端末情報２３１として、各通信端末１０の個別認証情報を登録している保存サーバ３０を特定する保存サーバ特定情報をそれぞれの通信端末１０の固有値すなわち端末識別番号（ＩＭＥＩ）に紐付けた状態であらかじめ登録している。なお、本他の実施形態においては、前述したように、該保存サーバ特定情報として、出荷先情報（当該通信端末１０の出荷先の仮想移動体通信事業者を示す情報）が通信端末１０の固有値すなわち端末識別番号（ＩＭＥＩ）に紐付けた状態で登録されている例について説明している。
【００７４】
そして、図２に示した識別サーバ用制御部２２の取得要求転送部２２３は、端末識別部２２１において個別認証情報取得要求に含まれている固有値すなわち端末識別番号（ＩＭＥＩ）が登録されていることを確認した識別サーバ用記憶部２３の端末情報２３１に、該固有値すなわち端末識別番号（ＩＭＥＩ）に紐付けた状態で登録されている保存サーバ特定情報（図２の場合は出荷先情報）を読み出す。しかる後、複数台の保存サーバすなわち第１保存サーバ３０１、第２保存サーバ３０２、第３保存サーバ３０３…、第ｎ保存サーバ３０ｎのうち、読み出した該保存サーバ特定情報（図２の場合は出荷先情報）により特定された保存サーバに、通信端末１０から受け取ったユーザ識別情報（ＩＭＳＩ）を少なくとも含む個別認証情報取得要求を転送するように動作する。
【００７５】
言い換えると、識別サーバ２０Ａは、通信端末１０から個別認証情報取得要求の通知を受け取った際に、通信端末１０から通知されてきた該個別認証情報取得要求に含まれている該通信端末１０の固有値すなわち端末識別番号（ＩＭＥＩ）と一致する端末識別番号（ＩＭＥＩ）が、識別サーバ用記憶部２３にあらかじめ登録されている端末情報（ＩＭＥＩ、出荷先情報）２３１内に存在していた場合には、該当する端末情報（ＩＭＥＩ、出荷先情報）２３１に含まれている出荷先情報（すなわち保存サーバ特定情報）を読み出す。そして、読み出した出荷先情報（すなわち保存サーバ特定情報）に基づいて、複数台の保存サーバすなわち第１保存サーバ３０１、第２保存サーバ３０２、第３保存サーバ３０３…、第ｎ保存サーバ３０ｎのうち、該当する通信端末１０の個別認証情報を保存している保存サーバを特定して選択する機能を備えている。
【００７６】
而して、かかる場合のように、出荷先情報を保存サーバ特定情報として用いる場合には、それぞれの仮想移動体通信事業者（ＭＶＮＯ）が出荷している通信端末１０に関する個別認証情報（ＩＭＳＩ、ＡＰＮ、ユーザ名、パスワード）３３１の自動設定を、一つのシステムによって実施することが可能になり、通信端末１０のユーザの利便性をさらに向上させることができるという効果が得られる。
【００７７】
なお、該出荷先情報とは、前述したように、通信端末１０を出荷した仮想移動体通信事業者（ＭＶＮＯ）を特定する情報であり、図２に示したように、本他の実施形態においては、識別サーバ用記憶部２３の端末情報（ＩＭＥＩ、出荷先情報）２３１として、通信端末の固有値すなわち端末識別番号（ＩＭＥＩ）と仮想移動体通信事業者（ＭＶＮＯ）を特定する出荷先情報とを紐付けてあらかじめ登録している。
【００７８】
したがって、本他の実施形態においては、識別サーバ２０Ａは、通信端末１０から通知されてきた該個別認証情報取得要求に含まれている該通信端末１０の固有値すなわち端末識別番号（ＩＭＥＩ）に紐付けた状態にある出荷先情報を読み出す。そして、読み出した出荷先情報に基づいて、複数台の保存サーバすなわち第１保存サーバ３０１、第２保存サーバ３０２、第３保存サーバ３０３…、第ｎ保存サーバ３０ｎのうち、いずれの保存サーバが、該当する仮想移動体通信事業者（ＭＶＮＯ）が出荷した通信端末１０に関する個別認証情報を保存している適切な保存サーバであるかを特定して、特定した保存サーバに該通信端末１０からの個別認証情報取得要求を転送するように動作する。
【００７９】
つまり、複数台の保存サーバすなわち第１保存サーバ３０１、第２保存サーバ３０２、第３保存サーバ３０３…、第ｎ保存サーバ３０ｎは、いずれも、図３に示した保存サーバ３０と同じ構成からなっているが、本他の実施形態においては、複数台の保存サーバすなわち第１保存サーバ３０１、第２保存サーバ３０２、第３保存サーバ３０３…、第ｎ保存サーバ３０ｎそれぞれの保存サーバ用記憶部３３には、出荷先情報（例えば仮想移動体通信事業者（ＭＶＮＯ）を特定する情報）が示す出荷先（例えば仮想移動体通信事業者）ごとの個別認証情報（ＩＭＳＩ、ＡＰＮ、ユーザ名、パスワード）３３１を保存している。
【００８０】
なお、識別サーバ２０Ａの識別サーバ用記憶部２３にあらかじめ登録している端末情報（ＩＭＥＩ、出荷先情報）２３１として、通信端末１０の固有値すなわち端末識別番号（ＩＭＥＩ）と紐付ける情報に関しては、複数台の保存サーバすなわち第１保存サーバ３０１、第２保存サーバ３０２、第３保存サーバ３０３…、第ｎ保存サーバ３０ｎのうち、該当する保存サーバを特定することができる情報すなわち保存サーバ特定情報であれば良く、必ずしも、通信端末１０を出荷した仮想移動体通信事業者（ＭＶＮＯ）を示す出荷先情報でなくても構わない。つまり、複数台の保存サーバを仮想移動体通信事業者ごとにグループ分けして設置するのではなく、複数台の保存サーバを例えばインターネット接続サービスを利用する地域別や企業別等にグループ分けするようにしても良いし、任意の指標を用いてグループ分けを行うようにして構わない。
【００８１】
（本発明の他の実施形態の動作の説明）
次に、本発明の他の実施形態として図５に示した通信ネットワークシステムの動作について、図６のフローチャートを参照しながら詳細に説明する。図６は、図５に示した通信ネットワークシステムの動作の一例を示すフローチャートである。図６のフローチャートは、ステップＳ６ａについて、先の実施形態として説明した図４のフローチャートにおけるステップＳ６の処理内容と異なるだけであり、ステップＳ６ａ以外の各ステップ（ステップＳ１〜ステップＳ５、ステップＳ７〜ステップＳ１３）については、図４のフローチャートのステップＳ６以外の各ステップ（ステップＳ１〜ステップＳ５、ステップＳ７〜ステップＳ１３）と全く同じであり、同じステップ符号を用いて示している。したがって、図６のステップＳ１〜ステップＳ５、ステップＳ７〜ステップＳ１３に関するここでの重複する説明は割愛して、図４のステップＳ６と異なるステップＳ６ａの処理内容について、以下に説明する。
【００８２】
図６のフローチャートのステップＳ５において、識別サーバ２０Ａは、通信端末１０から通知されてきた個別認証情報取得要求に含まれている該通信端末１０の固有値すなわち端末識別番号（ＩＭＥＩ）と一致する端末識別番号（ＩＭＥＩ）が、識別サーバ用記憶部２３にあらかじめ登録されている端末情報（ＩＭＥＩ、出荷先情報）内に存在していた場合には（ステップＳ５のＹｅｓ）、登録済みの通信端末１０からの個別認証情報取得要求であると判定して、通信端末１０の個別認証情報取得要求を該当する保存サーバに転送するために、ステップＳ６ａの処理に移行する。
【００８３】
ステップＳ６ａにおいては、まず、通信端末１０から通知されてきた個別認証情報取得要求に含まれている該通信端末１０の固有値すなわち端末識別番号（ＩＭＥＩ）と一致する端末識別番号（ＩＭＥＩ）を有している端末情報（ＩＭＥＩ、出荷先情報）を識別サーバ用記憶部２３から抽出して、該端末識別番号（ＩＭＥＩ）に紐付けられている出荷先情報を読み出す。
【００８４】
該出荷先情報は、前述したように、本他の実施形態においては、複数台の保存サーバすなわち第１保存サーバ３０１、第２保存サーバ３０２、第３保存サーバ３０３…、第ｎ保存サーバ３０ｎのうち、どの保存サーバに、個別認証情報取得要求の送信元の通信端末１０に関する個別認証情報（ＩＭＳＩ、ＡＰＮ、ユーザ名、パスワード）３３１が保存されているかを特定する情報として利用している。すなわち、本他の実施形態においては、複数台の保存サーバは、前述したように、通信端末１０の出荷先の仮想移動体通信事業者（ＭＶＮＯ）ごとにグループ分けして、それぞれの仮想移動体通信事業者（ＭＶＮＯ）が出荷した通信端末１０に関する個別認証情報（ＩＭＳＩ、ＡＰＮ、ユーザ名、パスワード）３３１を保存している場合を例にとって説明している。
【００８５】
したがって、識別サーバ２０Ａは、次に、個別認証情報取得要求の送信元の通信端末１０の固有値すなわち端末識別番号（ＩＭＥＩ）に一致した端末識別番号（ＩＭＥＩ）に紐付けられている出荷先情報に基づいて、複数台の保存サーバすなわち第１保存サーバ３０１、第２保存サーバ３０２、第３保存サーバ３０３…、第ｎ保存サーバ３０ｎのうち、当該通信端末１０に関する個別認証情報（ＩＭＳＩ、ＡＰＮ、ユーザ名、パスワード）３３１を保存している適切な保存サーバ例えば第１保存サーバ３０１を特定する。そして、識別サーバ２０Ａは、特定した保存サーバ例えば第１保存サーバ３０１に対して、通信端末１０から通知されてきた個別認証情報取得要求に含まれている該通信端末１０のユーザ識別情報（ＩＭＳＩ）５０１を少なくとも含む個別認証情報取得要求を転送する。
【００８６】
以上のステップＳ６ａの処理を終了すると、ステップＳ７の処理に移行するが、ステップＳ７以降の動作については、前述したように、図４のフローチャートと全く同じであるので、ここでの重複する説明は割愛する。
【００８７】
（本発明の他の実施形態の効果の説明）
先に図１〜図４に示した実施形態における効果に加えて、本他の実施形態においてはさらに以下のような効果が得られる。すなわち、出荷先情報が示す仮想移動体通信事業者（ＭＶＮＯ）ごとに保存サーバを設置しているので、それぞれの仮想移動体通信事業者（ＭＶＮＯ）が出荷している通信端末１０に関する個別認証情報（ＩＭＳＩ、ＡＰＮ、ユーザ名、パスワード）３３１の自動設定を、一つのシステムによって実施することが可能になり、通信端末１０のユーザの利便性をさらに向上させることができる。
【００８８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００８９】
１０        通信端末
１１        携帯電話網通信部
１２        制御部
１３        記憶部
１４        ＳＩＭカードスロット
２０        識別サーバ
２０Ａ      識別サーバ
２１        識別サーバ用通信部
２２        識別サーバ用制御部
２３        識別サーバ用記憶部
３０        保存サーバ
３１        保存サーバ用通信部
３２        保存サーバ用制御部
３３        保存サーバ用記憶部
４０        携帯電話網
５０        ＳＩＭカード
１２１      接続部
１２２      取得要求部
１２３      自動設定部
１３１      接続設定用初回認証情報
２２１      端末識別部
２２２      接続部
２２３      取得要求転送部
２２４      個別認証情報転送部
２３１      端末情報（ＩＭＥＩ、出荷先情報）
３０１      第１保存サーバ
３０２      第２保存サーバ
３０３      第３保存サーバ
３０ｎ      第ｎ保存サーバ
３２１      個別認証情報検索部
３３１      個別認証情報（ＩＭＳＩ、ＡＰＮ、ユーザ名、パスワード）
５０１      ユーザ識別情報（ＩＭＳＩ）
【図１】
2019180006.tif 000003
【図２】
2019180006.tif 000004
【図３】
2019180006.tif 000005
【図４】
2019180006.tif 000006
【図５】
2019180006.tif 000007
【図６】
2019180006.tif 000008